(57)【要約】【課題】作業者がカセットケースに基板を取り付ける際の作業性を向上させることができるテープカセットを提供する。【解決手段】テープカセットは、カセットケースと基板８０とを備える。カセットケースは、上壁と下壁５４と右壁５５と左壁５６と前壁５７と後壁５８とを有し、箱状である。右壁５５には、第一壁７１、逃がし凹部７２、第二壁７３が前方に向かってこの順で並ぶ。基板８０は、第一面８０Ａと第二面８０Ｂとを有する。第一面８０Ａには、一対のカセット側導電性端子が設けられる。一対のカセット側導電性端子は、基板８０の長手方向に並ぶ。第二面８０Ｂには、ＩＣチップが設けられる。基板８０は、長手方向とテープカセットの前後方向とを平行にし、かつ、第一面８０Ａが右方を向いた状態で、第一壁７１と第二壁７３とにまたがって配置される。ＩＣチップは、逃がし凹部７２に配置される。【選択図】図７
2019025808.tif 000002
【特許請求の範囲】
【請求項１】
第一外壁と第二外壁と第三外壁と第四外壁と第五外壁と第六外壁とを有し、前記第一外壁と前記第二外壁とは、平行に延び、かつ、互いに前記第一外壁および前記第二外壁と直交する第一方向に並び、前記第三外壁と前記第四外壁とは、平行に延び、かつ、互いに前記第三外壁および前記第四外壁と直交する第二方向に並び、前記第五外壁と前記第六外壁とは、平行に延び、かつ、互いに前記第五外壁および前記第六外壁と直交する第三方向に並び、前記第一方向、前記第二方向、および前記第三方向は、それぞれ、互いに交差する、箱状のカセットケースと、
前記カセットケースの内部に収納されたテープと、
第一面と、前記第一面とは反対側の第二面とを有し、前記第一面に一対の導電性端子が設けられ、前記第二面に前記一対の導電性端子と電気的に接続された記憶部が設けられた基板と
を備え、
前記第三外壁には、
前記第三外壁と平行に延びる第一側壁と、
前記第二方向のうち前記第三外壁から前記カセットケースの内側に向かう第四方向に凹む凹部または前記第二方向に貫通する孔と、
前記第三外壁と平行に延びる第二側壁とが、前記第三方向の一方である第五方向に向かってこの順で並び、
前記一対の導電性端子は、互いに前記第一面と平行な第六方向に並び、
前記第二面を、第一基板領域、第二基板領域、第三基板領域と、前記第六方向の一方に向かってこの順で三等分した場合、前記記憶部は、前記第二基板領域に配置され、
前記基板は、前記第三方向と前記第六方向とを平行にし、かつ、前記第四方向とは反対方向である第七方向を前記第一面が向いた状態で、前記第一側壁と前記第二側壁とにまたがって配置され、
前記記憶部または前記記憶部を保護するモールド部は、前記凹部または前記孔に配置されることを特徴とするテープカセット。
【請求項２】
前記第一側壁のうち前記第一方向の一方である第八方向側の第一配置領域の表面形状と、前記第二側壁のうち前記第八方向とは反対方向である第九方向側の第二配置領域の表面形状とは、互いに、前記第二方向から見て前記第一側壁、前記凹部または前記孔、および前記第二側壁からなる領域の中心に対して点対称であり、
前記第一側壁のうち前記第九方向側の第三配置領域の表面形状と、前記第二側壁のうち前記第八方向側の第四配置領域の表面形状とは、互いに前記中心に対して点対称であることを特徴とする請求項１に記載のテープカセット。
【請求項３】
前記第一側壁の前記第二側壁とは反対側の端部と前記第二側壁の前記第一側壁とは反対側の端部との間の前記第三方向の距離は、前記基板の前記第六方向の長さよりも大きく、
前記凹部または前記孔の前記第三方向の長さは、前記記憶部または前記モールド部の前記第六方向の長さよりも大きく、
前記第一側壁および前記第二側壁の前記第三方向のそれぞれの長さは、いずれも、前記記憶部または前記モールド部と前記基板の前記第六方向の両端部との間の前記第六方向のそれぞれの距離のいずれよりも小さいことを特徴とする請求項２に記載のテープカセット。
【請求項４】
前記第一配置領域、前記第二配置領域、前記第三配置領域、および前記第四配置領域の表面形状は、いずれも平面であることを特徴とする請求項２または３に記載のテープカセット。
【請求項５】
前記第一側壁および前記第二側壁には、前記中心に対して対称となる位置から突出する一対の凸部が少なくとも一組設けられており、
前記第二面には、前記一対の凸部のそれぞれに対応する位置から凹み、または貫通する一対の穴部が設けられていることを特徴とする請求項２または３に記載のテープカセット。
【請求項６】
前記第二面に前記一対の導電性端子と電気的に接続されたコンデンサが設けられ、
前記コンデンサは、前記第二基板領域に配置されることを特徴とする請求項１から５のいずれかに記載のテープカセット。
【請求項７】
前記カセットケースの内部において、前記凹部の底壁、または前記孔に配置された前記記憶部もしくは前記モールド部は、前記テープと対向することを特徴とする請求項１から６のいずれかに記載のテープカセット。
【請求項８】
前記カセットケースの内部において、前記凹部の底壁、または前記孔に配置された前記記憶部もしくは前記モールド部は、前記テープの搬送経路上にある前記テープと対向することを特徴とする請求項７に記載のテープカセット。
【請求項９】
前記第四外壁に設けられ、前記テープを排出する排出部を備え、
前記第三外壁および前記第四外壁を、それぞれ、第一領域、第二領域、第三領域と、前記第五方向に向かってこの順で三等分した場合、前記排出部および前記凹部または前記孔は、前記第一領域および前記第三領域のいずれか同じ方に配置されることを特徴とする請求項７または８に記載のテープカセット。
【請求項１０】
前記第三外壁は、前記第七方向を向いた特定面を有し、
前記第一側壁および前記第二側壁は、それぞれ、前記特定面よりも前記第四方向側に配置されることを特徴とする請求項１から９のいずれかに記載のテープカセット。
【請求項１１】
前記特定面および前記第一面は、前記第二方向において同じ位置に配置されることを特徴とする請求項１０に記載のテープカセット。
【請求項１２】
前記第五外壁と前記第六外壁との間の第一距離は、前記第一外壁および前記第二外壁との間の第二距離よりも大きく、
前記第三外壁と前記第四外壁との間の第三距離は、前記第一距離よりも大きいことを特徴とする請求項１から１１のいずれかに記載のテープカセット。
【請求項１３】
前記第一外壁と前記第二外壁との間には、前記第一方向に延び、前記テープが巻回されたテープロールを支持する支持部が設けられることを特徴とする請求項１から１２のいずれかに記載のテープカセット。
【発明の詳細な説明】
【技術分野】
【０００１】
本発明は、テープカセットに関する。
【背景技術】
【０００２】
従来、印刷に用いられるテープカセットが知られている。例えば、特許文献１に記載のテープカセットは、箱状のカセットケースを備える。カセットケースの内部には、印刷に用いられるテープが収納される。
【先行技術文献】
【特許文献】
【０００３】
【特許文献１】特開２０１２−２３２４６２号公報
【発明の概要】
【発明が解決しようとする課題】
【０００４】
例えば、上記テープカセットにおいて、テープ等に関する情報を記憶する記憶部を基板に搭載し、カセットケースに基板を配置することが考えられる。この場合、誤った向きでは基板が外壁に取り付けられなかったり、誤った向きで基板が外壁に取り付けられた場合に、記憶部から情報を読み込むことができなかったりする可能性がある。そのため、作業者は基板を適切な向きでカセットケースに取り付ける必要があり、作業性が低下する。よって、作業者が基板を外壁に取り付ける際の作業性の低下を抑制する必要がある。
【０００５】
本発明の目的は、作業者がカセットケースに基板を取り付ける際の作業性を向上させることができるテープカセットを提供することである。
【課題を解決するための手段】
【０００６】
本発明に係るテープカセットは、第一外壁と第二外壁と第三外壁と第四外壁と第五外壁と第六外壁とを有し、前記第一外壁と前記第二外壁とは、平行に延び、かつ、互いに前記第一外壁および前記第二外壁と直交する第一方向に並び、前記第三外壁と前記第四外壁とは、平行に延び、かつ、互いに前記第三外壁および前記第四外壁と直交する第二方向に並び、前記第五外壁と前記第六外壁とは、平行に延び、かつ、互いに前記第五外壁および前記第六外壁と直交する第三方向に並び、前記第一方向、前記第二方向、および前記第三方向は、それぞれ、互いに交差する、箱状のカセットケースと、前記カセットケースの内部に収納されたテープと、第一面と、前記第一面とは反対側の第二面とを有し、前記第一面に一対の導電性端子が設けられ、前記第二面に前記一対の導電性端子と電気的に接続された記憶部が設けられた基板とを備え、前記第三外壁には、前記第三外壁と平行に延びる第一側壁と、前記第二方向のうち前記第三外壁から前記カセットケースの内側に向かう第四方向に凹む凹部または前記第二方向に貫通する孔と、前記第三外壁と平行に延びる第二側壁とが、前記第三方向の一方である第五方向に向かってこの順で並び、前記一対の導電性端子は、互いに前記第一面と平行な第六方向に並び、前記第二面を、第一基板領域、第二基板領域、第三基板領域と、前記第六方向の一方に向かってこの順で三等分した場合、前記記憶部は、前記第二基板領域に配置され、前記基板は、前記第三方向と前記第六方向とを平行にし、かつ、前記第四方向とは反対方向である第七方向を前記第一面が向いた状態で、前記第一側壁と前記第二側壁とにまたがって配置され、前記記憶部または前記記憶部を保護するモールド部は、前記凹部または前記孔に配置される。
【０００７】
上記テープカセットによれば、一対の導電性端子が第六方向に並んでいるので、第六方向の一方および他方の向きを第三方向に対して逆さにして第一側壁と第二側壁とにまたがって基板が配置されても、一対の導電性端子同士の位置関係は変わらない。記憶部またはモールド部が凹部または孔に配置されているので、第六方向の一方および他方の向きを第三方向に対して逆さにして第一側壁と第二側壁とにまたがって基板が配置されても、カセットケースに対する記憶部の位置関係は変わらない。記憶部が第二基板領域に配置されており、第二基板領域は第六方向における第二面の中央部を含むので、第六方向の一方および他方の向きを第三方向に対して逆さにして第一側壁と第二側壁とにまたがって基板が配置されても、カセットケースに対する一対の導電性端子の位置関係は変わりにくい。よって、作業者は、第六方向の一方および他方の向きを第三方向に対して逆さにしても、第一側壁と第二側壁とにまたがって基板を取り付けることができるので、作業者がカセットケースに基板を取り付ける際、第三方向に対する第六方向の一方および他方の向きを考慮する必要がない。よって、テープカセットは、作業者がカセットケースに基板を取り付ける際の作業性を向上させることができる。
【図面の簡単な説明】
【０００８】
【図１】印刷装置１を右前上側から見た斜視図である。
【図２】本体筐体１０を左後下側から見た斜視図である。
【図３】本体筐体１０の底面図である。
【図４】端子ホルダ３２が第一位置にあるときの端子ユニット３０を上下方向に直交する平面で切って下側から見た断面図である。
【図５】端子ホルダ３２が第二位置にあるときの端子ユニット３０を上下方向に直交する平面で切って下側から見た断面図である。
【図６】テープカセット５を右前上側から見た斜視図である。
【図７】ラミネートタイプのテープカセット５（上ケース５１を除く）を略上方から見た斜視図である。
【図８】テープカセット５の背面図である。
【図９】図８のＡ−Ａ線矢視方向におけるテープカセット５（上ケース５１を除く）の断面図である。
【図１０】テープカセット５（基板８０を除く）を右前上側から見た斜視図である。
【図１１】テープカセット５（基板８０を除く）の右側面図である。
【図１２】基板８０を第二面８０Ｂ側から見た図である。
【図１３】装着部２０にテープカセット５が装着された場合における本体筐体１０の底面図である。
【図１４】逃がし凹部７２の代わりに逃がし孔７２１が設けられた配置部７０の周りを略上方から見た斜視図である。
【図１５】変形例のテープカセット５（上ケース５１を除く）を略上方から見た斜視図である。
【図１６】一対の凸部７４を有するテープカセット５（基板８０を除く）の右側面図である。
【図１７】一対の穴部８６を有する基板８０を第二面８０Ｂ側から見た図である。
【発明を実施するための形態】
【０００９】
本発明の一実施形態を、図面を参照して説明する。参照する図面は、本発明が採用しうる技術的特徴を説明するために用いられるものである。図面に記載されている装置の構成は、それのみに限定する趣旨ではなく、単なる説明例である。以下説明で使用する「同一形状」および「同じ位置」とは、それぞれ、完全に同一の形状のものおよび完全に同じ位置にあるものに限定する趣旨ではなく、実質的に同一の形状のものおよび実質的に同じ位置にあるものも含む趣旨である。「平行」および「直交」とは、それぞれ、完全に平行および直交するものに限定する趣旨ではなく、実質的に平行および直交するものも含む趣旨である。
【００１０】
図１から図３を参照し、印刷装置１の構成を説明する。以下の説明では、図１の左上側、右下側、左下側、右上側、上側、および下側を、それぞれ、印刷装置１の左側、右側、前側、後側、上側、および下側とする。印刷装置１は、各種テープカセット（例えば、ラミネート、レセプタタイプ、サーマルタイプ、チューブタイプ）を１台で使用可能である。以下、テープカセット５（図６参照）に収納される長尺状の各種印刷媒体（例えば、両面粘着テープ６、フィルムテープ７、片面粘着テープ、感熱紙テープ、チューブテープ）を、総称して「テープ」という。印刷装置１は、文字、図形等のキャラクタをテープに印刷する印刷動作を実行できる。
【００１１】
図１に示すように、印刷装置１は、略直方体状である。印刷装置１は、本体筐体１０とカバー１９とを有する。本体筐体１０の上面の前部には、キーボード１１が設けられる。キーボード１１は、種々のキャラクタ入力等を行う。キーボード１１の後方には、機能キー群１２が設けられる。機能キー群１２は、電源ボタン、印刷開始ボタン等を含み、印刷装置１に各種指示を入力する。機能キー群１２の後方には、液晶ディスプレイ１３が設けられる。液晶ディスプレイ１３は、入力したキャラクタを表示する。カバー１９は、本体筐体１０の下側に開閉自在に取り付けられる。
【００１２】
図２および図３に示すように、本体筐体１０には、装着部２０が設けられる。装着部２０は、本体筐体１０の下面から上方に凹み、底壁２０Ａと側壁２０Ｂとを備える。底壁２０Ａは、底面視で略矩形状であり、上下方向と直交する。側壁２０Ｂは、底壁２０Ａの周縁部から下方に延びる。装着部２０には、テープカセット５が上下方向に着脱可能である。
【００１３】
装着部２０には、ヘッドホルダ２１、プラテンホルダ２３、テープ駆動軸２６、リボン巻取軸２７、フック２８Ａ、２８Ｂ、リブ２９（図３参照）、端子ユニット３０等が配置される。ヘッドホルダ２１は、板状であり、底壁２０Ａのうち右側の部位から下方に延びる。ヘッドホルダ２１の右面には、サーマルヘッド２２（図３参照）が配置される。
【００１４】
プラテンホルダ２３は、装着部２０の右部に配置される。プラテンホルダ２３は、前端部を中心に略左右方向に回動可能である。プラテンホルダ２３は、プラテンローラ２４およびテープサブローラ２５を底面視でそれぞれ反時計回り方向に回転可能に支持する。プラテンローラ２４は、サーマルヘッド２２に右側から対向する位置に設けられる。テープサブローラ２５は、プラテンローラ２４の後側近傍に設けられる。テープ駆動軸２６は、テープサブローラ２５の左側に設けられ、底壁２０Ａから下方に延びる。リボン巻取軸２７は、底壁２０Ａの略中央から下方に延びる。
【００１５】
フック２８Ａは、底壁２０Ａの前端部から下方に突出し、前後方向に弾性変形可能である。フック２８Ｂは、底壁２０Ａの後端部から下方に突出し、前後方向に弾性変形可能である。リブ２９は、装着部２０の左端部のうち前後方向の中央よりも前側の位置に設けられ、底壁２０Ａから下方に延びる。リブ２９の左端部は側壁２０Ｂに接続する。端子ユニット３０は、側壁２０Ｂのうち前右角部に配置される。端子ユニット３０の詳細は後述する。
【００１６】
テープ駆動軸２６の右後近傍には、切断装置１５が設けられる。本体筐体１０の右後角部には、操作部１４が設けられる。操作部１４は、内側へ押圧操作されることによって、切断装置１５を作動させて、印刷済みのテープを切断する。切断装置１５の後側には、テープ排出口１６が設けられる。テープ排出口１６は、本体筐体１０を前後方向に貫通する開口である。テープ排出口１６は、切断装置１５によって切断された印刷済みのテープを本体筐体１０の外部に排出する。
【００１７】
印刷装置１は、本体筐体１０の内部に制御部（図示略）を備える。制御部は、ＣＰＵ、ＲＯＭ、ＲＡＭ等を備え、印刷装置１による印刷動作を制御する。
【００１８】
図２、図４、および図５を参照し、端子ユニット３０を説明する。図４および図５に示すように、端子ユニット３０は、ホルダ支持部３１と端子ホルダ３２と付勢部材３３とを備える。ホルダ支持部３１は、側壁２０Ｂ（図２参照）に固定される。ホルダ支持部３１は、略直方体状の箱状であり、後方に開口する。端子ホルダ３２は、略直方体状の箱状であり、前方に開口する。端子ホルダ３２は、ホルダ支持部３１の内部に配置され、ホルダ支持部３１によって第一位置（図４参照）と第二位置（図５参照）との間で前後方向に移動可能に支持される。第一位置にある端子ホルダ３２は、側壁２０Ｂの後側を向く面から後方に突出する（図４参照）。第二位置にある端子ホルダ３２は、側壁２０Ｂの後側を向く面からの突出量が第一位置にあるときよりも小さい（図５参照）。
【００１９】
図２に示すように、端子ホルダ３２の上端部の後部は、後方斜め上側に傾斜する。端子ホルダ３２の後面（以下、「端子面３２Ａ」という。）は、矩形状である。端子面３２Ａには、一対の本体側導電性端子３４が設けられる。一対の本体側導電性端子３４は、いずれも金属端子であり、それぞれ、印刷装置１の制御部とハーネス（図示略）を介して電気的に接続する。一対の本体側導電性端子３４は、互いに間に所定の隙間を空けて左右方向に並ぶ。一対の本体側導電性端子３４は、上下方向に長い矩形状であり、互いに同一形状である。一対の本体側導電性端子３４のそれぞれの上端部は、上下方向において同じ位置にある。一対の本体側導電性端子３４のそれぞれの下端部は、上下方向において同じ位置にある。
【００２０】
図４および図５に示すように、付勢部材３３は、コイルばねであり、一端がホルダ支持部３１に固定され、他端が端子ホルダ３２の端子面３２Ａとは反対側の面（すなわち、前面）に固定される。付勢部材３３は、端子ホルダ３２を第二位置（図５参照）から第一位置（図４参照）に向かって後方に付勢する。
【００２１】
図６から図１１を参照し、テープカセット５を説明する。以下の説明では、図６の左上側、右下側、左下側、右上側、上側、および下側を、それぞれ、テープカセット５の左側、右側、前側、後側、上側、および下側とする。図６に示すように、テープカセット５は、カセットケース５０を備える。カセットケース５０は、略直方体状の箱状であり、上ケース５１と下ケース５２とを有する。上ケース５１および下ケース５２は、互いに上下方向に並び、下ケース５２の上側に上ケース５１が組み付けられる。上ケース５１は、上壁５３と周壁５９Ａとを有する。下ケース５２は、下壁５４（図７参照）と周壁５９Ｂとを有する。上壁５３および下壁５４は、それぞれ、前後左右と平行に延びる。下壁５４は、上壁５３の下側に並んで配置される。
【００２２】
周壁５９Ａは、上壁５３の周縁から下側に延びる。周壁５９Ｂは、下壁５４の周縁から上側に延びる。周壁５９Ａ、５９Ｂは、上ケース５１が下ケース５２に組み付けられた状態で、右壁５５、左壁５６（図７参照）、前壁５７、および後壁５８（図７参照）を形成する。右壁５５および左壁５６は、それぞれ、前後上下と平行に延びる。左壁５６は、右壁５５の左側に並んで配置される。前壁５７および後壁５８は、それぞれ、上下左右と平行に延びる。後壁５８は、前壁５７の後側に並んで配置される。
【００２３】
上壁５３、下壁５４、右壁５５、左壁５６、前壁５７、および後壁５８は、それぞれ、カセットケース５０の外側を向く外壁である。前壁５７と後壁５８との間の距離Ｌ１は、上壁５３と下壁５４との間の距離Ｌ２よりも大きい。右壁５５と左壁５６との間の距離Ｌ３は、距離Ｌ１よりも大きい。
【００２４】
図７に示すように、前壁５７には、ヘッド挿入部６１が設けられる。ヘッド挿入部６１は、前壁５７の左端部近傍から後方に凹み、右方に延びる。前壁５７のうち、ヘッド挿入部６１の前側を延びる部位を、「アーム部６２」という。アーム部６２の左端部には、第一排出口６３が形成される。第一排出口６３は、上下方向に延びる開口であり、カセットケース５０の内部から外部にテープおよびインクリボン４を排出する。
【００２５】
左壁５６の前端部には、第二排出口６４が設けられる。以下、右壁５５および左壁５６を、それぞれ、前後方向に三等分した場合の領域を、後方から前方に向かう順に、「第一領域Ｒ１」、「第二領域Ｒ２」、「第三領域Ｒ３」とする。第二排出口６４は、第三領域Ｒ３において、第一排出口６３よりもテープの搬送方向下流側に配置される。第二排出口６４は、上下方向に延びる開口であり、第二排出口６４から排出されたテープを外部へと排出し、テープ排出口１６へ案内する。
【００２６】
図６および図７に示すように、右壁５５には、配置部７０およびリブ６５Ａ、６５Ｂ、６５Ｃが設けられる。配置部７０は、第三領域Ｒ３に配置される。配置部７０には、基板８０が配置される。配置部７０および基板８０の詳細は後述する。
【００２７】
リブ６５Ａ、６５Ｂ、６５Ｃは、それぞれ、基板８０から後方にずれた位置に設けられ、カセットケース５０の外側（すなわち、右側）に向けて基板８０よりも右側まで右壁５５から突出する。リブ６５Ａは、配置部７０の後側近傍から右壁５５の前後方向の中央部よりも後側まで、右壁５５の上下方向の中央部を前後方向に延びる。リブ６５Ｂは、リブ６５Ａの前端部に接続し、右壁５５の上端部と右壁５５の下端部との間で上下方向に延びる。リブ６５Ｃは、リブ６５Ａの後端部に接続し、右壁５５の上端部と右壁５５の下端部との間で上下方向に延びる。
【００２８】
図７に示すように、左壁５６には、リブ６６Ａ、６６Ｂ、６６Ｃが設けられる。リブ６６Ａ、６６Ｂ、６６Ｃは、それぞれ、基板８０から後方にずれた位置に設けられ、カセットケース５０の外側（すなわち、左側）に向けて左壁５６から突出する。リブ６６Ａは、左壁５６の前後方向の中央部を挟んで前後方向に延びる。リブ６６Ｂは、リブ６６Ａの前端部に接続し、左壁５６の上端部と左壁５６の下端部との間で上下方向に延びる。リブ６６Ｃは、リブ６６Ａの後端部に接続し、左壁５６の上端部と左壁５６の下端部との間で上下方向に延びる。
【００２９】
図６に示すように、カセットケース５０は、共通部５０Ａ、５０Ｂ、５０Ｃと一対の突出部５１１、５１２とを有する。共通部５０Ａは、カセットケース５０の右後角部であり、右壁５５の後端部と後壁５８の右端部とを含む。共通部５０Ｂは、カセットケース５０の右前角部であり、右壁５５の前端部と前壁５７の右端部とを含む。共通部５０Ｃは、カセットケース５０の左後角部であり、左壁５６の後端部と後壁５８の左端部とを含む。共通部５０Ａ、５０Ｂ、５０Ｃの上下方向のそれぞれの長さは、カセットケース５０の上下方向の最大長さよりも小さい。
【００３０】
突出部５１１は、上壁５３から上方に突出する。突出部５１２は、下壁５４から下方に突出する。すなわち、突出部５１１、５１２は、上壁５３および下壁５４から互いに外側に突出する。一対の突出部５１１、５１２は、それぞれ、上壁５３および下壁５４の周縁に沿って延びる。突出部５１１の上端部５０１は、カセットケース５０のうち最も上側に位置する。突出部５１２の下端部５０２は、カセットケース５０のうち最も下側に位置する。共通部５０Ａ、５０Ｂ、５０Ｃは、それぞれ、上下方向において、上端部５０１と下端部５０２との間に配置される。
【００３１】
突出部５１１は、第一接続部５１１Ａと第二接続部５１１Ｂと第三接続部５１１Ｃとを含む。第一接続部５１１Ａは、共通部５０Ａの近傍に配置される。第一接続部５１１Ａは、一端が右壁５５と接続し、他端が後壁５８と接続する。すなわち、第一接続部５１１Ａは、右壁５５と後壁５８とを接続する。第一接続部５１１Ａの形状は、第一接続部５１１Ａに対してカセットケース５０の中心側に曲率中心を有する円弧状である。
【００３２】
第二接続部５１１Ｂは、共通部５０Ｂの近傍に配置される。第二接続部５１１Ｂは、一端が右壁５５と接続し、他端が前壁５７と接続する。すなわち、第二接続部５１１Ｂは、右壁５５と前壁５７とを接続する。第二接続部５１１Ｂは、配置部７０の後端部の前側近傍から前方斜め左側に湾曲する。すなわち、第二接続部５１１Ｂの形状は、第二接続部５１１Ｂに対してカセットケース５０の中心側（すなわち、基板８０および共通部５０Ｂとは反対側）に曲率中心を有する円弧状である。第二接続部５１１Ｂの後端部（すなわち、右壁５５との接続部）のみ、配置部７０および基板８０と上下方向に重なる。
【００３３】
第三接続部５１１Ｃは、共通部５０Ｃの近傍に配置される。第三接続部５１１Ｃは、一端が左壁５６と接続し、他端が後壁５８と接続する。すなわち、第三接続部５１１Ｃは、左壁５６と後壁５８とを接続する。第三接続部５１１Ｃの形状は、第三接続部５１１Ｃに対してカセットケース５０の中心側に曲率中心を有する円弧状である。
【００３４】
突出部５１２は、第一接続部（図示略）と第二接続部５１２Ｂと第三接続部（図示略）とを含む。第一接続部、第二接続部５１２Ｂ、および第三接続部は、それぞれ、第一接続部５１１Ａ、第二接続部５１１Ｂ、および第三接続部５１１Ｃに対応する。第一接続部、第二接続部５１２Ｂ、および第三接続部は、それぞれ、第一接続部５１１Ａ、第二接続部５１１Ｂ、および第三接続部５１１Ｃと突出する方向が反対側になる点が異なり、形状等は略同一であるので、説明を省略する。
【００３５】
図８に示すように、上ケース５１に含まれる後壁５８には、フック６７Ａが設けられる。フック６７Ａは、上ケース５１に含まれる後壁５８から下方に延び、前後方向に弾性変形可能である。下ケース５２に含まれる後壁５８には、孔６７Ｂが設けられる。孔６７Ｂは、下ケース５２に含まれる後壁５８を前後方向に貫通する。フック６７Ａおよび孔６７Ｂは、左右方向において、後壁５８の中央部と共通部５０Ａとの略中央部に配置される。フック６７Ａは、上ケース５１が下ケース５２に組み付けられた状態で、孔６７Ｂに対して前側から係合する。上ケース５１が下ケース５２に組み付けられた状態で、上端部５０１と孔６７Ｂとの間の上下方向の距離Ａ１は、下端部５０２と孔６７Ｂとの間の上下方向の距離Ａ２よりも小さい。
【００３６】
図７および図８に示すように、後壁５８には、凹部６８が設けられる。凹部６８は、フック６７Ａおよび孔６７Ｂの右側に隣接する。凹部６８は、後壁５８から前方に凹み、上下方向に延びる。凹部６８は、第一対向壁６８Ａと第二対向壁６８Ｂと接続壁６８Ｃとを備える。
【００３７】
第一対向壁６８Ａおよび第二対向壁６８Ｂは、互いに左右方向に対向する。第二対向壁６８Ｂは、第一対向壁６８Ａよりも右側に配置される。すなわち、第二対向壁６８Ｂとフック６７Ａおよび孔６７Ｂとの間の左右方向の距離Ｂ２は、第一対向壁６８Ａとフック６７Ａおよび孔６７Ｂとの間の距離Ｂ１よりも大きい。第一対向壁６８Ａは、上端部５０１と下端部５０２とを含む部分に接続する。すなわち、第一対向壁６８Ａは、一対の突出部５１１、５１２および後壁５８が連続する部分に接続する。第二対向壁６８Ｂは、共通部５０Ａに接続する。すなわち、第一対向壁６８Ａの上下方向の長さＴ１は、第二対向壁６８Ｂの上下方向の長さＴ２よりも大きい。第一対向壁６８Ａの上端部は、第二対向壁６８Ｂの上端部よりも上側にある。第一対向壁６８Ａの下端部は、第二対向壁６８Ｂの下端部よりも下側にある。接続壁６８Ｃは、前後方向に直交し、第一対向壁６８Ａの前端部と第二対向壁６８Ｂの前端部とを互いに接続する。
【００３８】
図６および図７に示すように、カセットケース５０は、テープ駆動ローラ４６と支持部４９Ａ〜４９Ｄとを有する。テープ駆動ローラ４６は、上壁５３と下壁５４との間で上下方向に延びる筒状体であり、カセットケース５０の左前角部に配置される。テープ駆動ローラ４６は、上壁５３および下壁５４によって回転可能に支持される。支持部４９Ａは、上壁５３と下壁５４との間で上下方向に延びる筒状体である。支持部４９Ｂ、４９Ｃは、上壁５３と下壁５４との間で上下方向に延びる軸体である。支持部４９Ｄは、上壁５３および下壁５４をそれぞれ上下方向に貫通する。
【００３９】
図７に示すように、支持部４９Ａは、テープ駆動ローラ４６の後方斜め右側に配置され、第一テープスプール４０を回転可能に支持する。第一テープスプール４０には、第一のテープが巻回される。支持部４９Ｂは、支持部４９Ａの右側に配置され、第二テープスプール４１を回転可能に支持する。第二テープスプール４１には、第二のテープが巻回される。支持部４９Ｃは、支持部４９Ｂの前方斜め右側に配置され、リボンスプール４２を回転可能に支持する。リボンスプール４２には、未使用のインクリボン４が巻回される。支持部４９Ｄは、支持部４９Ｂの前方斜め左側に配置され、リボン巻取スプール４４（図６参照）を回転可能に支持する。リボン巻取スプール４４には、使用済みのインクリボン４が巻き取られて巻回される。
【００４０】
テープカセット５は、カセットケース５０の内部に収納されるテープの種類、インクリボン４の有無等を適宜変更することによって、ラミネートタイプ、レセプタタイプ、サーマルタイプ、チューブタイプ等に実装可能である。図７は、ラミネートタイプのテープカセット５を例示する。ラミネートタイプのテープカセット５では、支持部４９Ａは、第一のテープとして両面粘着テープ６が巻回された第一テープスプール４０（以下、「両面粘着ロール６Ａ」という。）を回転可能に支持する。支持部４９Ｂは、第二のテープとしてフィルムテープ７が巻回された第二テープスプール４１（以下、「フィルムロール７Ａ」という。）を回転可能に支持する。支持部４９Ｃは、未使用のインクリボン４が巻回されたリボンスプール４２（以下、「リボンロール４Ａ」という。）を回転可能に支持する。
【００４１】
両面粘着ロール６Ａ、フィルムロール７Ａ、およびリボンロール４Ａは、それぞれ、両面粘着テープ６、フィルムテープ７、およびインクリボン４の供給源である。両面粘着ロール６Ａ、フィルムロール７Ａ、およびリボンロール４Ａは、それぞれ、両面粘着テープ６、フィルムテープ７、およびインクリボン４の幅方向がカセットケース５０の上下方向と一致する向きで、カセットケース５０の内部に収納される。凹部６８は、リボンロール４Ａと前後方向に重なる。リボンロール４Ａの中心Ｑは、凹部６８と前後方向に重なる。中心Ｑは、リボンロール４Ａが支持部４９Ｃに支持された状態で支持部４９Ｃの中心と一致する。
【００４２】
図７および図９に示すように、上下方向において、上壁５３と下壁５４との間には、リブ４７が設けられる。リブ４７は、右前部と左後部が開口する平面視で支持部４９Ｂを中心とする円形状であり、下壁５４から上方に延びる。リブ４７の内側には、フィルムロール７Ａが配置される。リブ４７は、フィルムロール７Ａの周方向の一部を囲う。リブ４７の後端部は、後壁５８の前側近傍に配置される。後壁５８には、リブ４８が設けられる。リブ４８は、第一対向壁６８Ａから前方に向かって突出し、下壁５４からリブ４７の上端部まで上方に延びる。リブ４８の前端部は、リブ４７の後端部の右側近傍に接続する。接続壁６８Ｃは、左右方向において、第二対向壁６８Ｂとリブ４８との間に配置される。下壁５４からのリブ４８の上下方向の高さＨ１は、下壁５４からの第二対向壁６８Ｂの上下方向の高さＨ２よりも低い（図９参照）。
【００４３】
図７に示すように、リボンロール４Ａの右前側には、屈曲ピン４５Ａ〜４５Ｄが設けられる。屈曲ピン４５Ａ、４５Ｂ、４５Ｃ、４５Ｄは、この順に前方から後方に向けて並ぶ。屈曲ピン４５Ａ〜４５Ｄは、それぞれ、上下方向に延びる円柱状であり、下壁５４に固定支持される。屈曲ピン４５Ａ〜４５Ｄは、フィルムテープ７の搬送経路を規定する。フィルムテープ７の搬送経路は、フィルムロール７Ａから前方に延び、屈曲ピン４５Ｄ、４５Ｃ、４５Ｂ、４５Ａを経由して左側に曲がり、第一排出口６３を経由して第二排出口６４まで延びる。
【００４４】
図６、図７、および図１０から図１２を参照し、配置部７０および基板８０を説明する。図７および図１０に示すように、配置部７０は、右壁５５から左方に凹む。配置部７０は、右壁５５のうち前壁５７と隣接する位置、すなわち、共通部５０Ｂに配置される。配置部７０の前端部近傍は、第二排出口６４と左右方向に重なる。
【００４５】
図７に示すように、前壁５７と配置部７０とは、互いに連結部７０Ａで連結する。連結部７０Ａは、前壁５７の右端部であり、右壁５５（配置部７０）の前端部である。連結部７０Ａの形状は、前壁５７の右端部から後方斜め左側に鋭角に屈曲し、平面視で円弧状をなす。
【００４６】
図１０に示すように、配置部７０は、右壁５５の上端部の下側近傍と右壁５５の下端部の上側近傍との間で上下方向に延びる。すなわち、配置部７０は、上壁５３および下壁５４までは延びていない。
【００４７】
図７および図１０に示すように、配置部７０は、第一壁７１と逃がし凹部７２と第二壁７３とを有する。第一壁７１、逃がし凹部７２、および第二壁７３は、後方から前方に向かってこの順で並び、配置部７０の底壁を形成する。第一壁７１および第二壁７３は、右壁５５の右面（以下、「特定面５５Ａ」という。）よりも左側に配置され、右壁５５と平行に延びる。逃がし凹部７２は、第三領域Ｒ３に配置され、第一壁７１および第二壁７３から左方に凹む。カセットケース５０の内部において、逃がし凹部７２の底壁は、搬送経路上にあるテープ（図７では、フィルムテープ７）と左右方向に対向する。
【００４８】
図１１に示すように、第一壁７１および第二壁７３をそれぞれ上下方向に二等分した場合において、第一壁７１のうち上側の領域を「第一配置領域Ｄ１」といい、第二壁７３のうち下側の領域を「第二配置領域Ｄ２」といい、第一壁７１のうち下側の領域を「第三配置領域Ｄ３」といい、第二壁７３のうち上側の領域を「第四配置領域Ｄ４」という。
【００４９】
第一配置領域Ｄ１、第二配置領域Ｄ２、第三配置領域Ｄ３、および第四配置領域Ｄ４の表面形状は、いずれも平面である。平面とは、完全に平らな面のみをいうものではなく、曲面を形成せず、かつ、凸部が設けられていない面をいう。すなわち、平面は、凹部が設けられている面を含む。
【００５０】
以下、側面視で第一壁７１、逃がし凹部７２、および第二壁７３からなる領域（すなわち、配置部７０を左右方向に投影した場合に形成される領域）の中心を、「中心Ｐ」という。中心Ｐは、側面視で第一壁７１の後下角部、第一壁７１の後上角部、第二壁７３の前下角部、および第二壁７３の前上角部の４点からなる長方形の対角線の交点と一致する。第一配置領域Ｄ１の表面形状と第二配置領域Ｄ２の表面形状とは、互いに中心Ｐに対して点対称である。第三配置領域Ｄ３と第四配置領域Ｄ４の表面形状とは、互いに中心Ｐに対して点対称である。
【００５１】
図６に示すように、基板８０は、一方に長い長方形状であり、第一面８０Ａと第二面８０Ｂ（図１２参照）とを有する。第二面８０Ｂは、第一面８０Ａとは反対側を向く。第一面８０Ａには、一対のカセット側導電性端子８１が設けられる。一対のカセット側導電性端子８１は、いずれも金属端子であり、互いに間に所定の隙間を空けて基板８０の長手方向（以下、「Ｙ１方向」という。図１２参照）に並ぶ。一対のカセット側導電性端子８１は、基板８０の短手方向（以下、「Ｙ２方向」という。図１２参照）に長い矩形状であり、互いに同一形状である。一対のカセット側導電性端子８１のそれぞれのＹ２方向の一方側（例えば、図１２の上側）の端部は、Ｙ２方向において同じ位置にある。一対のカセット側導電性端子８１のそれぞれのＹ２方向の他方側（例えば、図１２の下側）の端部は、Ｙ２方向において同じ位置にある。
【００５２】
一対のカセット側導電性端子８１の長手方向（すなわち、Ｙ２方向）の長さは、一対の本体側導電性端子３４（図２参照）の長手方向（すなわち、図２の上下方向）の長さよりも小さい。一対のカセット側導電性端子８１の短手方向（すなわち、Ｙ１方向）の長さは、一対の本体側導電性端子３４の短手方向（すなわち、図２の左右方向）の長さよりも大きい。一対のカセット側導電性端子８１の互いの間の隙間の距離は、一対の本体側導電性端子３４の互いの間の隙間の距離よりも小さい。
【００５３】
図１２に示すように、第二面８０Ｂには、ＩＣチップ８２と一対のコンデンサ８３とモールド部８４とが設けられる。ＩＣチップ８２は、一対のコンデンサ８３を介在させて、一対のカセット側導電性端子８１のそれぞれと電気的に接続される。ＩＣチップ８２は、テープカセット５の種類（ラミネートタイプ等）、テープの種類（色、テープ幅等）等の各種情報を記憶できる。一対のコンデンサ８３は、特定の周波数を通過させる。モールド部８４は、ＩＣチップ８２を覆う樹脂部材であり、ＩＣチップ８２を保護する。
【００５４】
以下、図１２の右側を、Ｙ１方向の一方とし、図１２の左側を、Ｙ１方向の他方とする。Ｙ１方向に第二面８０Ｂを三等分した場合の領域を、Ｙ１方向の一方（図１２の右側）から他方（図１２の左側）に向かう順に、「第一基板領域Ｓ１」、「第二基板領域Ｓ２」、「第三基板領域Ｓ３」とする。ＩＣチップ８２、コンデンサ８３、およびモールド部８４は、いずれも第二基板領域Ｓ２に配置される。
【００５５】
図１１および図１２に示すように、第一壁７１の後端部７１Ａと第二壁７３の前端部７３Ａとの間の前後方向の距離Ｗ１（すなわち、配置部７０の前後方向の長さ）は、基板８０のＹ１方向の長さＸ１よりもわずかに大きい。第一壁７１および第二壁７３の上下方向の長さＷ２は、基板８０のＹ２方向の長さＸ２よりもわずかに大きい。逃がし凹部７２の前後方向の長さＷ３は、モールド部８４のＹ１方向の長さＸ３よりも大きい。
【００５６】
以下、基板８０のＹ１方向の一方（図１２の右側）の端部を、「第一基板端部８５Ａ」といい、基板８０のＹ１方向の他方（図１２の左側）の端部を、「第二基板端部８５Ｂ」という。第一壁７１の前後方向の長さＷ４および第二壁７３の前後方向の長さＷ５は、いずれも、モールド部８４（詳細には、モールド部８４のＹ１方向の一方の端部）と第一基板端部８５Ａとの間のＹ１方向の距離Ｘ４およびモールド部８４（詳細には、モールド部８４のＹ１方向の他方の端部）と第二基板端部８５Ｂとの間のＹ１方向の距離Ｘ５のいずれよりも小さい。
【００５７】
図７に示すように、基板８０は、Ｙ１方向（図１２参照）とテープカセット５の前後方向とを平行にし、かつ、第一面８０Ａが右方を向いた状態で、配置部７０に配置される。基板８０は、Ｙ１方向の一方（図１２の右側）がテープカセット５の後方および前方のいずれを向いた状態でも配置部７０に配置できる。第一壁７１および第二壁７３のそれぞれと第二面８０Ｂとの間に接着層（図示略）が配置される。接着層は、接着剤、両面粘着テープ等である。基板８０は、接着層を介在させて、第一壁７１および第二壁７３にまたがって配置される。
【００５８】
以下、基板８０が配置部７０に配置された状態を基準に説明する。モールド部８４およびＩＣチップ８２は、逃がし凹部７２に配置される。特定面５５Ａおよび第一面８０Ａは、左右方向において同じ位置に配置される。基板８０は、第三領域Ｒ３に配置される。基板８０の前後方向の中心は、第二排出口６４の前後方向の中心よりも前方にある。基板８０の一部は、第二排出口６４と左右方向に重なる。詳細には、一対のカセット側導電性端子８１のうち前側の導電性端子は、第二排出口６４と左右方向に重なる。
【００５９】
図１３を参照し、テープカセット５が装着部２０に装着される流れおよび印刷装置１による印刷動作を説明する。ユーザは、基板８０が端子ユニット３０と対向するように、テープカセット５を装着部２０に装着する。テープカセット５が装着部２０に装着される過程では、第二接続部５１２Ｂが端子ホルダ３２の上端部の後部の左端部に下方から接触する。端子ホルダ３２の上端部の後部が、後方斜め上側に傾斜しているので、端子ホルダ３２は、第二接続部５１２Ｂによって前方に押圧される。端子ホルダ３２は、付勢部材３３の付勢力に抗って第一位置（図４参照）から第二位置（図５参照）に移動する。
【００６０】
ヘッド挿入部６１にサーマルヘッド２２が挿入される。テープ駆動ローラ４６にテープ駆動軸２６が挿入される。リボン巻取スプール４４にリボン巻取軸２７が挿入される。凹部６８にリブ２９が挿入される。凹部６８がないテープカセットは、リブ２９と干渉するので、装着部２０に装着できない。よって、凹部６８およびリブ２９により、テープカセット５とは異なるテープカセットが装着部２０に装着されることが抑制される。フック２８Ａ、２８Ｂが、それぞれ、リブ６５Ａ、６６Ａに係合する。これにより、テープカセット５の装着部２０に対する位置が決定し、テープカセット５の装着部２０への装着は完了する。
【００６１】
テープカセット５が装着部２０に装着された状態では、一対のカセット側導電性端子８１と一対の本体側導電性端子３４とがそれぞれ互いに前後方向に対向接触して電気的に接続する。一対のカセット側導電性端子８１の長手方向（すなわち、Ｙ２方向）の長さは、一対の本体側導電性端子３４の長手方向（すなわち、図２の上下方向）の長さよりも小さい。一対のカセット側導電性端子８１の短手方向（すなわち、Ｙ１方向）の長さは、一対の本体側導電性端子３４の短手方向（すなわち、図２の左右方向）の長さよりも大きい。一対のカセット側導電性端子８１の互いの間の隙間の距離は、一対の本体側導電性端子３４の互いの間の隙間の距離よりも小さい。
【００６２】
一対のカセット側導電性端子８１と一対の本体側導電性端子３４とがそれぞれ互いに前後方向に対向して接触して電気的に接続された状態では、印刷装置１は、テープカセット５との間で通信可能な状態となる。詳細には、印刷装置１は、一対の本体側導電性端子３４と一対のカセット側導電性端子８１とのそれぞれの接点間の電圧差を利用して公知の変調方式によってＩＣチップ８２からの信号を受信する。
【００６３】
カバー１９（図１参照）が本体筐体１０に対して閉じられると、プラテンホルダ２３が左側に回動する。プラテンローラ２４は、互いに重ね合ったフィルムテープ７およびインクリボン４をサーマルヘッド２２との間で挟む。テープサブローラ２５は、両面粘着テープ６およびフィルムテープ７をテープ駆動ローラ４６との間で挟む。
【００６４】
印刷装置１による印刷動作が開始されると、テープ駆動軸２６およびリボン巻取軸２７は、モータ（図示略）によって同期して回転駆動される。テープ駆動軸２６の回転に伴って、テープ駆動ローラ４６が回転し、テープサブローラ２５が従動回転する。テープ駆動ローラ４６およびテープサブローラ２５が回転すると、両面粘着テープ６およびフィルムテープ７が、それぞれ、両面粘着ロール６Ａおよびフィルムロール７Ａから引き出されて搬送される。リボン巻取軸２７の回転に伴って、リボン巻取スプール４４が回転する。リボン巻取スプール４４が回転すると、インクリボン４がリボンロール４Ａから引き出される。プラテンローラ２４とサーマルヘッド２２との間でフィルムテープ７と重ね合っているインクリボン４が使用され、サーマルヘッド２２によるフィルムテープ７への印刷が行われる。テープサブローラ２５とテープ駆動ローラ４６との間で、印刷済みのフィルムテープ７に両面粘着テープ６が貼り合わされ、第二排出口６４から外部に排出される。
【００６５】
以上説明したように、一対のカセット側導電性端子８１がＹ１方向に並んでいるので、テープカセット５に対するＹ１方向の向きを前後逆さにして第一壁７１と第二壁７３とにまたがって基板８０が配置されても、一対のカセット側導電性端子８１同士の位置関係は変わらない。ＩＣチップ８２およびモールド部８４が逃がし凹部７２に配置されているので、テープカセット５に対するＹ１方向の向きを前後逆さにして第一壁７１と第二壁７３とにまたがって基板８０が配置されても、カセットケース５０に対する記憶部の位置関係は変わらない。ＩＣチップ８２が第二基板領域Ｓ２に配置されており、第二基板領域Ｓ２はＹ１方向における第二面８０Ｂの中央部を含むので、テープカセット５に対するＹ１方向の向きを前後逆さにして第一壁７１と第二壁７３とにまたがって基板８０が配置されても、カセットケース５０に対する一対のカセット側導電性端子８１の位置関係は変わりにくい。よって、作業者は、テープカセット５に対するＹ１方向の向きを前後逆さにしても、第一壁７１と第二壁７３とにまたがって基板８０を取り付けることができるので、作業者がカセットケース５０に基板８０を取り付ける際、テープカセット５の前後方向に対するＹ１方向の向きを考慮する必要がない。よって、テープカセット５は、作業者がカセットケース５０に基板８０を取り付ける際の作業性を向上させることができる。
【００６６】
第一配置領域Ｄ１の表面形状と第二配置領域Ｄ２の表面形状とは、互いに中心Ｐに対して点対称である。第三配置領域Ｄ３と第四配置領域Ｄ４の表面形状とは、互いに中心Ｐに対して点対称である。よって、テープカセット５に対する基板８０のＹ１方向の向きを前後逆さにして第一壁７１と第二壁７３とにまたがって基板８０が配置されても、カセットケース５０に対する一対のカセット側導電性端子８１の位置関係はより変わりにくい。
【００６７】
距離Ｗ１は、長さＸ１よりもわずかに大きい。長さＷ３は、長さＸ３よりも大きい。長さＷ４、Ｗ５は、いずれも、距離Ｘ４、Ｘ５のいずれよりも小さい。この場合、テープカセット５に対する基板８０のＹ１方向の向きを前後逆さにしても、逃がし凹部７２にＩＣチップ８２、コンデンサ８３、およびモールド部８４が配置され、第一壁７１および第二壁７３に第二面８０Ｂが配置される。よって、テープカセット５は、テープカセット５に対する基板８０のＹ１方向の向きを前後逆さにしても、第一壁７１と第二壁７３とにまたがって確実に基板８０を取り付けることができる。
【００６８】
第一配置領域Ｄ１、第二配置領域Ｄ２、第三配置領域Ｄ３、および第四配置領域Ｄ４の表面形状は、いずれも平面である。よって、第一壁７１と第二壁７３とにまたがって基板８０が配置された場合に、第二面８０Ｂと第一壁７１および第二壁７３との間に左右方向の隙間が形成されることが抑制される。よって、作業者は、配置部７０に基板８０を容易かつ確実に取り付けることができる。
【００６９】
コンデンサ８３が第二基板領域Ｓ２に配置されているので、作業者は、テープカセット５に対するＹ１方向の向きを前後逆さにしても、第一壁７１と第二壁７３とにまたがって基板８０を取り付けることができる。
【００７０】
テープがカセットケース５０の内部に向かって（すなわち、テープの搬送方向の上流側に向かって）押された場合、テープに緩みが生じる。テープに緩みが生じると、テープの搬送に不具合が生じやすくなる。カセットケース５０の内部において、逃がし凹部７２の底壁が、搬送経路上にあるテープと左右方向に対向しているので、緩みが生じたテープは逃がし凹部７２に接触する。よって、テープカセット５は、逃がし凹部７２の底壁が搬送経路上にあるテープと対向していない場合に比べて、テープがカセットケース５０の内部に向かって押された場合に生じるテープの緩みを抑制できる。
【００７１】
第二排出口６４および逃がし凹部７２が、第三領域Ｒ３に配置されているので、第二排出口６４にあるテープがカセットケース５０の内部に向かって押された場合、緩みが生じたテープは逃がし凹部７２に接触しやすい。よって、テープカセット５は、逃がし凹部７２の底壁が搬送経路上にあるテープと対向していない場合に比べて、テープがカセットケース５０の内部に向かって押された場合に生じるテープの緩みを抑制できる。
【００７２】
第一壁７１および第二壁７３が、特定面５５Ａよりも左側に配置されているので、第一壁７１および第二壁７３が、特定面５５Ａよりも左側に配置されていない場合に比べて、基板８０のうち特定面５５Ａよりも右側に出っ張る部位が小さくなる。よって、基板８０を載置面（例えば、作業台の上面）に向けてテープカセット５を置いた場合に、基板８０および一対のカセット側導電性端子８１は、載置面に接触することによる応力を受けにくくなる。よって、テープカセット５は、基板８０および一対のカセット側導電性端子８１に応力が作用することによる悪影響を抑制できる。基板８０のうち特定面５５Ａよりも右側に出っ張る部位が小さくなると、テープカセット５の使用時等に、基板８０のうち特定面５５Ａよりも右側に出っ張る部位が引っかかって、基板８０が配置部７０から外れることが抑制される。
【００７３】
特定面５５Ａおよび第一面８０Ａは、左右方向において同じ位置に配置されているので、基板８０を載置面に向けてテープカセット５を置いた場合に、基板８０および一対のカセット側導電性端子８１は、載置面に接触することによる応力を受けにくくなる。よって、テープカセット５は、基板８０および一対のカセット側導電性端子８１に応力が作用することによる悪影響を抑制できる。基板８０のうち特定面５５Ａよりも右側に出っ張る部位がなくなると、テープカセット５の使用時等に、基板８０のうち特定面５５Ａよりも右側に出っ張る部位が引っかかって、基板８０が配置部７０から外れることが抑制される。
【００７４】
本実施形態において、上壁５３が、本発明の「第一外壁」に相当する。下壁５４が、本発明の「第二外壁」に相当する。右壁５５が、本発明の「第三外壁」に相当する。左壁５６が、本発明の「第四外壁」に相当する。前壁５７が、本発明の「第五外壁」に相当する。後壁５８が、本発明の「第六外壁」に相当する。テープカセット５の上下方向が、本発明の「第一方向」に相当する。テープカセット５の左右方向が、本発明の「第二方向」に相当する。テープカセット５の前後方向が、本発明の「第三方向」に相当する。一対のカセット側導電性端子８１が、本発明の「一対の導電性端子」に相当する。ＩＣチップ８２が、本発明の「記憶部」に相当する。第一壁７１が、本発明の「第一側壁」に相当する。テープカセット５の左方が、本発明の「第四方向」に相当する。逃がし凹部７２が、本発明の「凹部」に相当する。第二壁７３が、本発明の「第二側壁」に相当する。テープカセット５の前方が、本発明の「第五方向」に相当する。基板８０のＹ１方向が、本発明の「第六方向」に相当する。テープカセット５の右方が、本発明の「第七方向」に相当する。テープカセット５の上方が、本発明の「第八方向」に相当する。テープカセット５の下方が、本発明の「第九方向」に相当する。第二排出口６４が、本発明の「排出部」に相当する。支持部４９Ｂが、本発明の「支持部」に相当する。
【００７５】
本発明は、上記実施形態から種々変更できる。例えば、上記実施形態では、ＩＣチップ８２は、モールド部８４によって保護されるが、モールド部８４は省略してもよい。図１４に示すように、テープカセット５は、逃がし凹部７２の代わりに逃がし孔７２１を採用してもよい。逃がし孔７２１は、配置部７０の底壁を左右方向に貫通する。基板８０が配置部７０に配置された状態で、逃がし孔７２１には、モールド部８４が配置される。モールド部８４は、カセットケース５０の内部において、搬送経路上にあるテープ（図１４では、フィルムテープ７）と左右方向に対向する。モールド部８４が省略された場合、基板８０が配置部７０に配置された状態で、逃がし孔７２１には、ＩＣチップ８２が配置される。ＩＣチップ８２は、カセットケース５０の内部において、搬送経路上にあるテープと左右方向に対向する。
【００７６】
上記実施形態のテープカセット５は、ラミネートタイプであるが、レセプタタイプ、サーマルタイプ、チューブタイプ等でもよい。レセプタタイプのテープカセットでは、第二テープスプール４１が省略され、支持部４９Ａが、第一のテープとして片面粘着テープが巻回された第一テープスプール４０を支持する。サーマルタイプのテープカセット５では、リボンロール４Ａが省略され、支持部４９Ａが、第一のテープとして感熱紙テープが巻回された第一テープスプール４０を支持する。
【００７７】
図１５を参照し、変形例のテープカセット５を説明する。以下では、上記実施形態と共通の構成には、上記実施形態と同一符号を付して説明を省略し、上記実施形態と異なる点を主に説明する。
【００７８】
変形例の両面粘着テープ６およびフィルムテープ７のテープ幅は、上記実施形態の両面粘着テープ６およびフィルムテープ７のテープ幅よりも小さい。テープカセット５は、フィルムテープ７に適切な搬送負荷をかけるため、テープ幅に応じて屈曲ピンの個数が異なる。変形例のテープカセット５では、屈曲ピン４５Ｂ〜４５Ｄが省略される。すなわち、リボンロール４Ａの右前側には、屈曲ピン４５Ａのみ設けられる。屈曲ピン４５Ａは、筒状体４５１を回転可能に支持する。フィルムテープ７の搬送経路は、フィルムロール７Ａから前方に延び、筒状体４５１の外周面のうち右端部に沿って左側に曲がる。フィルムテープ７が搬送されると、筒状体４５１が回転するので、フィルムテープ７の搬送に対する負荷が抑制される。なお、屈曲ピンの個数は、テープ幅によらず一定でもよい。カセットケース５０の内部において、逃がし凹部７２の底壁は、搬送経路上にあるテープ（図７では、フィルムテープ７）と左右方向に対向する。
【００７９】
図１６および図１７を参照し、配置部７０および基板８０の変形例を説明する。図１６に示すように、第一壁７１および第二壁７３には、一対の凸部７４が設けられ、図１７に示すように、第二面８０Ｂには、一対の穴部８６が設けられてもよい。一対の凸部７４は、中心Ｐに対して対称となる位置から右方に突出する。一対の凸部７４の形状は、円柱状であり、中心Ｐに対して対称である。一対の凸部７４の形状は、円柱状に限定せず、例え四角柱状でもよい。一対の穴部８６は、基板８０の中心に対して対称となる位置であって、一対の凸部７４のそれぞれに対応する位置から右方に凹む。一対の穴部８６の形状は、円形であり、基板８０の中心に対して対称である。一対の穴部８６の形状は、円形に限定せず、一対の凸部７４の形状に対応した形状であればよい。一対の穴部８６は、基板８０を左右方向に貫通してもよい。一対の凸部７４の直径は、一対の穴部８６の直径よりもわずかに小さい。
【００８０】
基板８０が配置部７０に配置された場合、一対の凸部７４が一対の穴部８６に嵌まる。これにより、基板８０は、配置部７０に確実に取り付けることができる。一対の凸部７４が中心Ｐに対して対称となる位置にあるので、テープカセット５に対する基板８０のＹ１方向の向きを前後逆さにしても、基板８０は配置部７０に配置できる。一対の凸部７４を一組とした場合、第一壁７１および第二壁７３には、複数組の凸部７４が設けられてもよい。一対の穴部８６を一組とした場合、第二面８０Ｂには、複数組の穴部８６が設けられてもよい。第一壁７１および第二壁７３に一対の穴部８６が設けられ、第二面８０Ｂに一対の凸部７４が設けられてもよい。
【００８１】
上記実施形態では、一対のカセット側導電性端子８１のうち前側の導電性端子が、第二排出口６４と左右方向に重なる。これに対し、一対のカセット側導電性端子８１のうち後側の導電性端子が、第二排出口６４と左右方向に重なってもよい。一対のカセット側導電性端子８１のいずれも第二排出口６４と左右方向に重ならなくてもよい。例えば、一対のカセット側導電性端子８１の互いの間の隙間が第二排出口６４と左右方向に重なってもよい。
【００８２】
基板８０には、一対のカセット側導電性端子８１を一組として、複数組のカセット側導電性端子８１が設けられてもよい。上記実施形態では、一対のカセット側導電性端子８１および一対の本体側導電性端子３４は、金属端子であるが、例えば、導電性樹脂端子でもよい。基板８０には、コンデンサ８３の他に、コイル等の電子部品が設けられてもよい。電子部品は、第二基板領域Ｓ２に配置されることが好ましい。この場合、電子部品は、逃がし凹部７２に配置されるので、テープカセット５は、電子部品が第一壁７１または第二壁７３と接触して損傷することを抑制できる。
【００８３】
上記実施形態では、一対のカセット側導電性端子８１の長手方向の長さは、一対の本体側導電性端子３４の長手方向の長さよりも小さい。一対のカセット側導電性端子８１の短手方向の長さは、一対の本体側導電性端子３４の短手方向の長さよりも大きい。一対のカセット側導電性端子８１の互いの間の隙間の距離は、一対の本体側導電性端子３４の互いの間の隙間の距離よりも小さい。これに対して、一対のカセット側導電性端子８１の長手方向の長さは、一対の本体側導電性端子３４の長手方向の長さ以上でもよい。一対のカセット側導電性端子８１の短手方向の長さは、一対の本体側導電性端子３４の短手方向の長さ以下でもよい。一対のカセット側導電性端子８１の互いの間の隙間の距離は、一対の本体側導電性端子３４の互いの間の隙間の距離以上でもよい。
【００８４】
一対のカセット側導電性端子８１は、Ｙ２方向に長い矩形状であるが、Ｙ１方向に長い矩形状でもよいし、正方形状、円形状等の他の形状でもよい。一対のカセット側導電性端子８１は、互いに同一形状であり、Ｙ１方向に並ぶが、互いに異なる形状でもよいし、Ｙ２方向に並んでもよい。
【００８５】
上記実施形態では、配置部７０は、右壁５５から左方に凹むが、凹まなくてもよい。すなわち、第一壁７１および第二壁７３は、左右方向において特定面５５Ａと同じ位置に配置されてもよい。上記実施形態では、第二排出口６４、配置部７０、および基板８０は、第三領域Ｒ３に配置されるが、第一領域Ｒ１または第二領域Ｒ２に配置されてもよいし、第一領域Ｒ１、第二領域Ｒ２、および第三領域Ｒ３の複数にまたがって配置されてもよい。第二排出口６４、配置部７０、および基板８０は、上壁５３、下壁５４、左壁５６、前壁５７、または後壁５８に配置されてもよい。
【００８６】
上記実施形態では、フック６７Ａは、上ケース５１に含まれる後壁５８に設けられ、孔６７Ｂは、下ケース５２に含まれる後壁５８に設けられている。これに対し、フック６７Ａが下ケース５２に含まれる後壁５８に設けられ、孔６７Ｂが上ケース５１に含まれる後壁５８に設けられてもよい。
【００８７】
上記実施形態では、印刷装置１は、変調方式によってＩＣチップ８２からの信号を受信する。これに対し、印刷装置１は、他の方式でＩＣチップ８２からの信号を受信してもよい。印刷装置１は、例えばＩＣチップ８２からの差動信号を受信してもよい。
【００８８】
上記実施形態では、特定面５５Ａおよび第一面８０Ａは、左右方向において同じ位置に配置されている。これに対して、第一面８０Ａは、特定面５５Ａよりも左側に配置されてもよい。この場合、テープカセット５の使用時等に、基板８０のうち特定面５５Ａよりも右側に出っ張る部位が引っかかって、基板８０が配置部７０から外れることがさらに抑制される。第一面８０Ａは、特定面５５Ａよりも右側に配置されてもよい。この場合、基板８０が特定面５５Ａよりも右側に出っ張っているので、テープカセット５が装着部２０に装着されたときに、一対の本体側導電性端子３４は、一対のカセット側導電性端子８１にそれぞれ確実に接触できる。
【符号の説明】
【００８９】
５    テープカセット
６    両面粘着テープ
７    フィルムテープ
４９Ｂ    支持部
５０    カセットケース
５３    上壁
５４    下壁
５５    右壁
５５Ａ    特定面
５６    左壁
５７    前壁
５８    後壁
６４    第二排出口
７０    配置部
７１    第一壁
７２    逃がし凹部
７３    第二壁
７４    凸部
８０    基板
８０Ａ    第一面
８０Ｂ    第二面
８１    カセット側導電性端子
８２    ＩＣチップ
８４    モールド部
８６    凹部
７２１    孔
Ｄ１    第一配置領域
Ｄ２    第二配置領域
Ｄ３    第三配置領域
Ｄ４    第四配置領域
Ｒ１    第一領域
Ｒ２    第二領域
Ｒ３    第三領域
Ｓ１    第一基板領域
Ｓ２    第二基板領域
Ｓ３    第三基板領域
【図１】
2019025808.tif 000003
【図２】
2019025808.tif 000004
【図３】
2019025808.tif 000005
【図４】
2019025808.tif 000006
【図５】
2019025808.tif 000007
【図６】
2019025808.tif 000008
【図７】
2019025808.tif 000009
【図８】
2019025808.tif 000010
【図９】
2019025808.tif 000011
【図１０】
2019025808.tif 000012
【図１１】
2019025808.tif 000013
【図１２】
2019025808.tif 000014
【図１３】
2019025808.tif 000015
【図１４】
2019025808.tif 000016
【図１５】
2019025808.tif 000017
【図１６】
2019025808.tif 000018
【図１７】
2019025808.tif 000019